(57)【要約】【課題】  簡単な構成で電磁波検出の感度を高めることのできる電磁波検出装置の提供を目的とする。【解決手段】  ＥＯサンプリング法を利用して異なる二つの偏光成分の検出光を検出する電磁波検出方法において、前記検出光の偏光状態を表す偏光状態式の一部に係数βを挿入することで、前記検出光の強度が１／β（β＜１）倍となる前記偏光状態式の構成部分を求め、当該構成部分に相当する前記偏光成分をβ倍に変換するように偏光制御を行うようにした。【選択図】  図２
2019152501.tif 000002
【特許請求の範囲】
【請求項１】
ＥＯサンプリング法を利用して異なる二つの偏光成分の検出光を検出する電磁波検出方法において、
前記検出光の偏光状態を表す偏光状態式の一部に係数βを挿入することで、前記検出光の信号強度が１／β（β＜１）倍となる前記偏光状態式の構成部分を求め、
当該構成部分に相当する前記偏光成分をβ倍に変換するように偏光制御を行うこと、
を特徴とする電磁波検出方法。
【請求項２】
請求項１に記載の電磁波検出方法において、前記検出光を楕円偏光とした後、前記楕円偏光のうち長軸側の偏光成分をβ倍に偏光制御すること、
を特徴とする電磁波検出方法。
【請求項３】
請求項１に記載の電磁波検出方法において、前記検出光を直交する二方向の偏光成分とした後、長軸側の偏光成分を減衰させ、和周波発生(SFG)成分および差周波発生(DFG)成分を含んだ短軸側の偏光成分について、前記検出光の信号強度が１／β（β＝sinθ／cosθ）倍となるように偏光制御したことを特徴とする電磁波検出方法。
【請求項４】
前記偏光制御を、光学フィルタを透過させることによって行うことを特徴とする請求項１〜３のいずれかに記載の電磁波検出方法。
【請求項５】
前記βの値が、前記検出光の電界振幅をＥ０としたときの前記検出光の強度（｜Ｅ０｜２β２）がノイズ強度よりも大きいことを特徴とする請求項１〜４のいずれかに記載の電磁波検出方法。
【請求項６】
ＥＯサンプリング法を利用して異なる二つの偏光成分の検出光を検出する請求項１〜５のいずれかに記載の電磁波検出方法を用いた電磁波検出装置であって、
前記偏光成分のうち、長軸側の前記偏光成分を減衰させる偏光制御手段を、電気光学結晶の後に配置したこと、
を特徴とする電磁波検出装置。
【発明の詳細な説明】
【技術分野】
【０００１】
本発明は、電磁波を利用した非破壊検査装置等に用いられる電磁波検出方法及び電磁波検出装置に関する。
【背景技術】
【０００２】
電磁波を利用して非破壊的な検査を行う装置や方法が知られている。近年では、Ｘ線装置に代わる安全な検査手法として、テラヘルツ（ＴＨｚ）周波数帯の電磁波を用いた電気光学（ＥＯ）サンプリング法により非破壊的に検査等を行う技術が開発されている（例えば特許文献１，２参照）。
ＥＯサンプリング法としては、例えば、上記した周波数帯の電磁波の電界が電気光学結晶に誘起する複屈折を、フェムト秒レーザーを光源とするプローブ光によりサンプリング検出するものが知られている。
【０００３】
図７は、ＥＯサンプリング検出を行う電磁波検出装置の一例を示す概略図である。検出対象の電磁波と遅延時間をつけた十分短いレーザーパルス（プローブ光と称する。特に電磁波による変調を受けたあとは検出光と称する）とを同じ直線偏光にし、コリニアに電気光学結晶１１に照射する。電気光学結晶１１から出射された楕円偏光の検出光は、λ／４波長板１２に入射されてその位相が９０度シフト (位相バイアス）される。そして、λ／４波長板１２から出射された偏光状態の検出光を偏光子（例えばWollaston Prism）１３に入射することで、当該偏光を長軸側の縦方向の偏光成分と短軸側の横方向の偏光成分に分離し、それぞれの強度を光検出器１４で検出する。
【先行技術文献】
【特許文献】
【０００４】
【特許文献１】特開２０１３−１７４５１３号公報
【特許文献２】特許第３３８８３１９号公報
【発明の開示】
【発明が解決しようとする課題】
【０００５】
ところで、テロ対策強化などの要求から、空港やイベント会場、会議場など人の集まる施設での手荷物検査や全身検査などでは、高精度かつ正確な透視検査が求められているが、現状において主流となっているＸ線透視検査では精度、正確性及び画像の鮮明性に限界があり、Ｘ線透視検査に代わる新たな技術の速やかな開発と普及が切望されている。
ＥＯサンプリング法は、Ｘ線透視検査に代わる新たな電磁波検出技術として注目されているものの、上記した従来の電磁波検出方法及び電磁波検出装置では、高速でスキャンしてマッピングすることが困難で、未だその用途の範囲が限定されているという問題がある。
【０００６】
本発明は、ＥＯサンプリング法の速やかな用途拡大を目的としてなされたもので、簡単かつ安価なコストで従来のＥＯサンプリング法による電磁波検出の感度を大幅に高めることができ、高速マッピングにも対応が可能な電磁波検出方法及び電磁波検出装置の提供を目的とする。
【課題を解決するための手段】
【０００７】
上記した従来のＥＯサンプリング法による電磁波検出装置では、λ／４波長板１２によって直交する二つの偏光成分に位相差（光路差）を設けて検出光の偏光状態の変更を行っている。λ／４波長板１２から出射される検出光は円偏光に近い状態に変換され、偏光子によって分離される縦方向の偏光成分と横方向の偏光成分を差分検出することで電磁波の電界に比例した信号を得ている。
この従来法によるＥＯサンプリングにおける信号強度（検出光の偏光変調度）σは、前記二方向の偏光成分における円偏光からのずれによる強度差をΔＩ、前記検出光の総強度をＩ０とすると、σ＝ΔＩ／Ｉ０と表すことができるが、この式は電気光学効果によって誘起される位相変化ΔΓ＝ΔＩ／Ｉ０に対応している。
【０００８】
具体的には、光検出器で検出される縦方向の偏光成分の光強度をＩｖ、同横方向の偏光成分の光強度をＩｈとしたとき、信号強度σは（Ｉｖ−Ｉｈ）／（Ｉｖ＋Ｉｈ）＝ΔＩ／Ｉ０＝ΔΓで表すことができる。電気光学結晶を透過した直後の検出光の縦方向の偏光成分は、横方向の偏光成分よりもかなり大きいが、電気光学効果による信号は主に横方向の偏光成分に含まれている。そこで電気光学結晶を透過した直後の横方向の偏光成分と縦方向の偏光成分の比率を制御することができれば、信号強度σを増大させることができると期待できる。検出光の偏光制御によるＥＯ信号強度σの変化率をαとしたときのＥＯサンプリングにおける信号強度を表す式を以下に示す。
【０００９】
【数１】
2019152501.tif 000003
【００１０】
この式から、係数αが１より大きくなるように偏光制御を行えば、信号強度σをα倍に増大できることがわかる。
【００１１】
具体的に本発明の電磁波検出方法は、請求項１に記載するように、ＥＯサンプリング法を利用して異なる二つの偏光成分の検出光を検出する電磁波検出方法において、前記検出光の偏光状態を表す偏光状態式の一部に係数βを挿入することで、前記検出光の信号強度がα（＝１／β、β＜１）倍となる前記偏光状態式の構成部分を求め、当該構成部分に相当する前記偏光成分を振幅でβ倍に変換するように偏光制御を行う構成としてある。
【００１２】
電気光学結晶に入射された電磁波は楕円偏光の検出光として出射されるが、このような楕円偏光の検出光の縦方向の偏光成分は横方向の偏光成分よりかなり大きなものとなる。このような楕円偏光においては、請求項２に記載するように長軸側の偏光成分をβ倍に変換（減衰）することで、信号強度を1/β倍に増強することができる。
【００１３】
本発明は、検出光に含まれる和周波発生光成分と差周波発生光成分を空間的に分離し、もとの検出光成分との干渉効果を利用して電磁波検出を行うヘテロダイン形のＥＯサンプリング検出法にも同様に適用が可能である。すなわち、請求項３に記載するように、前記検出光を直交する二方向の偏光成分とした後、長軸側の偏光成分を減衰させ、和周波発生(SFG)光成分および差周波発生(DFG)光成分を含んだ短軸側の偏光成分について、前記検出光の信号強度が１／β（β＝sinθ／cosθ：ここでθはあとで示す実施形態において、電気光学結晶に入射する際の検出光（プローブ光）の縦偏光からの傾き角である。）倍となるように偏光制御すればよい。
なお、前記偏光制御は、例えば請求項４に記載するように光学フィルタを用いて行うことができる。
前記係数βの値を小さくするほど信号強度を増強することができる。しかし、前記係数βの値が小さすぎるとノイズが大きくなって却って検出精度を低下させることから、請求項５に示すように、検出光の電界振幅をＥ０としたときの前記検出光の強度（｜Ｅ０｜２β２）がノイズ強度よりも大きい範囲内で前記係数βの値を決定するとよい。
【００１４】
上記の本発明の電磁波検出方法を利用した電磁波検出装置は、請求項６に記載するように、ＥＯサンプリング法を利用して、異なる二つの偏光成分の検出光を検出する電磁波検出装置において、前記偏光成分のうち、長軸側の前記偏光成分を減衰させる偏光制御手段を、電気光学結晶の後に配置した構成としてある。前記偏光制御手段は、前記電気光学結晶から出射された前記検出光の楕円偏光のうち、長軸側の偏光成分を減衰させるものであってもよい。前記偏光制御手段としては前記長軸側の偏光成分を減衰させる光学フィルタを用いることができる。
【００１５】
本発明の電磁波検出装置は、電磁波を和周波発生光成分と差周波発生光成分を空間的に分離し、もとの検出光（プローブ光）成分との干渉効果を利用して検出を行うヘテロダイン形のＥＯサンプリング検出法にも適用が可能で、この場合前記偏光制御手段は、前記電気光学結晶から出射された前記検出光の偏光成分のうち、長軸側の偏光成分を減衰させ、和周波発生(SFG)光成分および差周波発生(DFG)光成分を含んだ短軸側の偏光成分を透過させるものとすればよい。
なお、本発明において用語「減衰」には、長軸側の偏光成分を完全に除去（カット）する場合も含まれる。
【発明の効果】
【００１６】
本発明は上記のように構成されているので、検出光の直交する二方向の偏光成分のうちの一方について、当該偏光成分を相対的に減衰等させる制御を行うだけで感度を高めることができる。また、偏光制御手段として光学フィルタを用いることができ、既存の電磁波検出装置に市販の光学フィルタを挿入するだけで電磁波検出の感度を高めることができる。さらに、ＳＮ比との関係で減衰率には一定の制限があるものの、感度を飛躍的に高めることができるため電磁波検出信号の高速マッピングも可能になり、空港やイベント会場、会議場など人の集まる施設での手荷物や入場者の全身の透視検査など、適用範囲を広範に拡げることが可能になる。
【発明を実施するための最良の形態】
【００１７】
以下、本発明の電磁波測定方法の好適な実施形態を詳細に説明する。
［本発明の原理］
電気光学結晶１１（図７参照）に電磁波（THz波）とプローブ光（通常100fs程度の幅を持つ可視、近赤外域のパルス光）が入射すると、電磁波による電界が電気光学結晶中に非等方的な屈折率変化（複屈折）Δｎを誘起する。このとき、電気光学結晶１１中の伝搬距離をＬ、電気光学結晶１１から出射される検出光の波長をλとすると、位相差ΔΓは、以下の式で表される。
【００１８】
【数２】
2019152501.tif 000004
【００１９】
この位相差ΔΓは通常は非常に小さく、電気光学結晶１１から出射される検出光はごくわずかに楕円偏光（長軸は垂直方向）となるが、直線偏光に近い偏光状態である。この状態の検出光が１／４λ板を透過すると、検出光はほぼ円偏光となる。
ここで、縦方向の偏光成分の強度をＩｖ、横方向の偏光成分の強度をＩｈ、偏光を分離する前の検出光の強度をＩ０とすると、それぞれは以下の式で与えられる。
【００２０】
【数３】
2019152501.tif 000005
【００２１】
【数４】
2019152501.tif 000006
【００２２】
なお式３および式４において、最終項のΔΓ／２は、ΔΓが十分に小さいために、sinΔΓ／２を近似したものである。円偏光からのずれΔＩは、縦偏光と横偏光の強度ＩｖとＩｈの差Ｉｖ−Ｉｈで与えられ、式３および式４を用いると
【００２３】
【数５】
2019152501.tif 000007
【００２４】
すなわち、
【００２５】
【数６】
2019152501.tif 000008
【００２６】
を得る。このことから、ＥＯサンプリングの信号強度は、電磁波によって複屈折が誘起された結果生じる、直交する（この場合＋／−４５度）偏光成分間の位相差ΔΓに比例し、検出光のπ／２の位相バイアス後の円偏光からのずれに対応していることがわかる。
ＥＯサンプリングの信号強度を高めるには、式６の分母のＩ０を減衰させればよい。ただし、Ｉ０を減衰させればΔＩも減衰することになる。そのため、ΔＩの減衰率をＩ０の減衰率よりも小さくして、ＥＯサンプリングの信号強度ΔＩ／Ｉ０を効率よく増強させる必要がある。
【００２７】
そこで本発明の発明者は、電気光学結晶から射出された直後の検出光を減衰させたあとの検出光強度をＩ０′= β2Ｉ０とすることとした。すなわち、検出光の振幅をβ倍（検出光強度でβ2倍）に減衰させるようにする。このようにすると、ΔＩも減衰するが、その減衰率をｓとし、減衰後のΔＩをΔＩ′とすると、ΔＩ′＝ｓΔＩと表され、このときのＥＯサンプリングの信号強度を表す式６は
【００２８】
【数７】
2019152501.tif 000009
【００２９】
と書き換えることができる。ここでα=ｓ/β2とすると、α＞１であれば信号強度は増強されることになる。この条件を満たすためにはｓ＞β2（０≦β＜１）であればよく、このとき分母Ｉ０を減衰させても分子ΔＩは分母Ｉ０ほどには減衰しないことになる。
このように検出光の偏光状態を制御することで、上記の式７を導出することができれば、ＥＯサンプリングの信号強度を高めることができることになる。
【００３０】
この予測に基づき、電気光学結晶を透過した直後の検出光の偏光状態をどのように制御すれば、すなわち、偏光状態式のどの部分に係数βを挿入すれば式７のような結果を得ることができるかを求める。
電気光学結晶を透過した直後の検出光の偏光状態の式は、複屈折の長軸，短軸の方向がそれぞれ＋４５度、−４５度であり、それぞれの位相差が＋ΔΓ／２、−ΔΓ／２となることから、振幅をＥとして以下の式で表すことができる。
【００３１】
【数８】
2019152501.tif 000010
【００３２】
なお、式８において添え字は偏光成分の方向を示していて、添え字０は縦方向を、添え字９０は横方向を示している。この式８から時間因子（ｅｘｐ（−ｉωｔ））を省略して書き換えると、
【００３３】
【数９】
2019152501.tif 000011
【００３４】
となる。この式９では、縦方向の振幅がＥ０cos(ΔΓ／２)、横方向の振幅が
Ｅ９０sin (ΔΓ／２)で、後者の位相が９０度遅れて振動する楕円偏光であることを示している。
ここで今、式９の楕円偏光成分のうち、一方の構成部分（以下の例では長軸側である縦方向の偏光成分（添え字０の偏光成分））に係数βを挿入してみる。係数βの挿入により式９は以下のように書き換えることができる。
【００３５】
【数１０】
2019152501.tif 000012
【００３６】
ここでｅ＋４５とｅ−４５は縦（鉛直）方向からそれぞれ+45度、−45度傾いた方向の単位ベクトルでｅ０とｅ９０の間には以下の関係がある。
【数１１】
2019152501.tif 000013
【００３７】
式１０にπ／２の位相バイアスを加え、-４５度の偏光成分の位相を９０度ずらすと、
【００３８】
【数１２】
2019152501.tif 000014
【００３９】
よって、
【００４０】
【数１３】
2019152501.tif 000015
【００４１】
【数１４】
2019152501.tif 000016
【００４２】
【数１５】
2019152501.tif 000017
【００４３】
となる。これより、ΔＩの減衰率ｓ＝βとなることが分かる。検出光の強度はＩ０＝Ｅ０２から、
2019152501.tif 000018
となるので、ＥＯサンプリング信号は、
【００４４】
【数１６】
2019152501.tif 000019
【００４５】
となる。
この式１６は、ＥＯサンプリングの信号強度を高めるための式７と比較するとα＝1／βであることが分かる。このことから、電気光学結晶から出射された楕円偏光の検出光の偏光状態を表す偏光状態式のうち、一方の偏光成分を表す構成部分に係数βを挿入すれば、ＥＯサンプリング信号の強度を増強できることがわかる。
ここで、ＥＯサンプリング信号の強度を増強するには、係数βを１より小さく（β＜１）する必要がある。すなわち式１０の例に従えば、係数βを挿入する構成部分に相当するのは長軸側である縦方向の偏光成分であるから、縦方向の偏光成分を減衰させることで、ＥＯサンプリング信号の強度を増強することができる。増強できる大きさは式７及び式１５から１／β倍である。
【００４６】
なお、係数βを小さくすればするほど式１５においてΔΓ／βの値は大きくなるが、実際には係数βを一定以下に小さくすると光強度が小さくなりすぎて、ノイズ成分が相対的に大きくなる。光学フィルタ等で減衰させたあとの検出光の強度｜Ｅ０２β２｜がノイズ強度より小さくなるとＳＮ比が劣化するので、電磁波照射部から出射された直後の検出光の強度、周波数、電気光学結晶の特性、λ／４波長板及び光学フィルタ等の性能などを総合的に勘案した上で、係数βの値を適切に選択する必要がある。
【００４７】
以下、この原理に基づく本発明の好適な実施形態を、図面を参照しながら詳細に説明する。
図１は、本発明の電磁波検出装置の具体的な装置構成を示す概略図、図２はその主要部の詳細を説明する概略図である。
図１に示すように、この実施形態の電磁波検出装置は、プローブ光を射出するフェムト秒レーザー装置２４とプローブ光の偏光状態を制御する光学系２３とを備えたプローブ光照射部と、プローブ光を射出するフェムト秒レーザー装置２１（通常２４と同一）とエミッタ２２とを備えた、３０ＧＨｚより大きく３０ＴＨｚより小さい周波数の電磁波を照射する電磁波照射部を有する。前記プローブ光照射部から照射されたプローブ光及び電磁波照射部から照射された電磁波（例えばＴＨｚ光）は、反射鏡２５、凹面鏡２７ａ、凹面鏡２７ｂを経て光変調手段である電気光学結晶１１に入射される。
なお、電気光学結晶１１に入射される電磁波は、前記プローブ光照射部から照射されたプローブ光と電磁波照射部から照射されたＴＨｚ波などの電磁波とが結合されたものである。また電気光学結晶中で電気光学効果による変調をうけ、電気光学結晶１１から出射されたプローブ光を、変調前のものと区別するため「検出光」と称するものとする。
【００４８】
上記の式１０に基づき、図２に示すように、入射された電磁波を楕円偏光の検出光として出射する電気光学結晶１１の直後であって、λ／４波長板１２の手前に、前記楕円偏光のうち長軸側の偏光成分を減衰させる偏光制御手段としての光学フィルタ１５を配置する。この光学フィルタ１５は、長軸側の偏光成分（この実施形態では縦方向の偏光成分）を係数βだけ減衰させ、これと直交する短軸側の偏光成分についてはそのまま透過させるものである。
この光学フィルタ１５を利用して、長軸側の偏光成分の振幅を例えば１／１０（係数β＝１／１０）に減衰させると、式１６にしたがって光検出器１４で検出されるＥＯサンプリングの信号の強度は約１０倍に増強されることになる。
但し、係数βを小さくしすぎるとプロ―プ光の強度が小さくなりすぎて、ノイズ成分が相対的に大きくなる。すなわち、縦方向の偏光成分を減衰したあとの電磁波の強度｜Ｅ０｜２β２がノイズ強度より小さくなるとSN比が劣化するので、｜Ｅ０｜２β２がノイズ強度以下にならないように係数βを選択するのが好ましい。係数βは１／１００〜５０／１００を目安とすることができる。
【００４９】
［実験１］
本発明の効果を実証するべく、本発明の発明者は電気光学結晶１１として厚さ１ｍｍの(001)面カットZnTe結晶を用い、周波数帯３０ＧＨｚ〜４ＴＨｚ、検出光の強度減衰率β２＝５％（β＝０．２２）として図１の装置で実験を行った。その結果を図３のグラフに示す。
図３（ａ）は信号強度のプローブ光の遅延時間を変化させたときの変位、すなわちＴＨｚ波の時間波形を示すグラフ、（ｂ）はそれをフーリエ変換した信号強度と周波数との関係、すなわちパワースペクトルを示すグラフである。
図３（ａ）（ｂ）のグラフでは、光学フィルタ１５を設ける前を破線で、設けた後を実線で表している。図３（ａ）のグラフから、信号強度は光学フィルタ１５を設ける前後で約２．５倍に増強されていることがわかる(なお、理論から期待される増強率は約４．５倍である)。また、図３（ｂ）のグラフから、実験を行った周波数帯の全範囲で信号の増強が確認できた。
実験で用いた電磁波の周波数帯は３０ＧＨｚ〜４ＴＨｚの範囲であるが、本発明は３０ＴＨｚ程度の周波数までは好適に適用することができる。
【００５０】
［他の実施形態］
本発明は、ヘテロダインＥＯサンプリング検出系にも同様に適用が可能である。
ヘテロダインＥＯサンプリング法は、ＴＨｚ波等の電磁波とプローブ光の電気光学結晶１１内での非線形相互作用により生じた和周波発生(ＳＦＧ)光および差周波発生(ＤＦＧ)光が、もとのプローブ光と光波干渉することで検出光の強度変調を直接的に検出する手法である。
【００５１】
ヘテロダインＥＯサンプリングで、電磁波照射部から照射された電磁波はプローブ光照射部から照射されたプローブ光に対して非共軸に電気光学結晶１１に入射し、波数ベクトルの位相整合条件の違いから、和周波発生（ＳＦＧ）光と差周波発生（ＤＦＧ）光が、検出光（電気光学結晶１１から出射され光検出器１４で検出される電磁波を「検出光」と記載する）の中心軸に対して互いに反対方向に電気光学結晶１１から出射される。またＳＦＧ光とＤＦＧ光の位相は反転しており、もとのプローブ光との干渉による強度変調は、互いに極性が反転する。この性質を利用して、ＳＦＧ光とＤＦＧ光のヘテロダインＥＯサンプリングによる検出光の変調を検出器１４で検出する。
電気光学結晶１１に入射させるプローブ光は縦偏光からわずかに偏光方向に傾け（傾斜させる角度θとしては０．５〜５°程度が目安である）、縦方向の偏光成分Ｅ０ cosθ（主たる偏光成分）とごく小さな横方向の偏光成分Ｅ０ sinθを持たせるようにする。
ここで、入射検出光の振幅をE0，その強度をI0=| E0|2，電磁波（ＴＨｚ光）とプローブ光の相互作用で発生するSFG光およびDFG光の振幅をESFG/DFGとすると、ヘテロダインＥＯサンプリング信号は次の式であらわされる。
【００５２】
【数１７】
2019152501.tif 000020
【００５３】
式１７において、ｎoptはＥＯ結晶の検出光に対する屈折率，ｒijはＥＯ係数，ωoptは電磁波の角周波数，Ｌは相互作用長（ＥＯ結晶の厚さ），ＥTHzは電磁波の振幅，Ｉｍ[g（ΔkL）]は位相不整合因子である。
この実施形態では、式１７の右辺の分母にsinθ、分子にcosθを挿入する。これは電気光学結晶に入射するプローブ光を縦偏光からθだけ傾けたことにより、分母のSFG光およびDFG光と干渉するプローブ光の横偏光振幅がcosθ倍、SFG光およびDFG光の振幅がsinθ倍されることに対応する。この結果、式１７は、
【００５４】
【数１８】
2019152501.tif 000021
【００５５】
となり、この式１８の右辺を、β＝sinθ／cosθとして書き換えると、
【００５６】
【数１９】
2019152501.tif 000022
【００５７】
となる。この式１９は、先の実施形態の式１６と同じ形となり、プローブ光の偏光制御に対応した係数βを挿入する前と後では、ＥＯサンプリング信号の強度が１／β（β＜１）倍だけ増強されることになる。
図４は、本発明の第二の実施形態にかかる電磁波検出装置の具体的な装置構成を示す概略図、図５は図４の装置の主要部の詳細を説明する概略図である。
この実施形態のヘテロダインＥＯサンプリング検出系では、プローブ光をわずかな角度θだけ傾ける光学フィルタ（例えばλ／２波長板）１６を、電気光学結晶１１の前に配置する。そして、電気光学結晶１１から出射された検出光の偏光成分のうち縦方向の偏光成分をカットする光学フィルタ１５を電気光学結晶１１の直後に配置する。これにより残った横方向の偏光成分は、ＳＦＧ光およびＤＦＧ光と干渉して変調される。
【００５８】
ヘテロダインＥＯサンプリングにおいては、偏光制御により検出光の縦偏光からの傾きθを小さくすればするほど、１／βの値が大きくなり、信号の増倍率は上がることになる。
しかし、θを小さくしすぎると縦偏光成分をカットされたあとのプロ―プ光強度が小さくなりすぎて、相対的にノイズ成分が大きくなる。したがって、縦方向の偏光成分をカットしたあとの検出光の強度｜Ｅ０｜２β２（ただしcosθ≒１のときβ２≒sinθ２であるから、この式は｜Ｅ０｜２sinθ２と等価）がノイズ強度より小さくなると、SN比が劣化するので、θは、 横方向の偏光成分の強度｜Ｅ０｜２sinθ２がノイズ強度と同程度になる値以下には小さくしないことが好ましい。
【００５９】
［実験２］
この第二の実施形態について、実験１と同様に実験を行った。θを２．８°及びθ＝０．８７°とし、周波数帯３０ＧＨｚ〜４ＴＨｚとして、図４の装置で実験を行った。その結果を図６のグラフに示す。
図６（ａ）は信号強度のプローブ光の遅延時間を変化させたときの変位、すなわちＴＨｚ波の時間波形を示すグラフ、（ｂ）はそれをフーリエ変換した信号強度と周波数との関係、すなわちパワースペクトルを示すグラフである。
図６（ａ）（ｂ）のグラフでは、光学フィルタ１５を設ける前を破線で、設けた後を実線（θ＝２．８°）及び一点鎖線（θ＝０．８７°）で表している。
図６（ａ）のグラフから、信号強度は光学フィルタ１５を設ける前後でそれぞれ約２０倍（θ＝２．８°）及び６６倍（θ＝０．８７°）に増強されていることがわかる。また、図６（ｂ）のグラフから、実験を行った周波数帯の全範囲で信号の増強が確認できた。
しかし、θ＝０．８７°（一点鎖線）の場合はＳＮ比が劣化し、実用的な結果は得られなかった。
【００６０】
本発明の好適な実施形態について説明したが、本発明は上記の説明に限定されるものではない。
例えば、上記の説明で偏光制御手段の一例として光学フィルタ１５を挙げたが、同様の作用を奏するのであれば他の手段を用いてもよい。
また、検出光の偏光状態を示す偏光状態式（例えば式１０）においては、一つの構成部分に係数βを挿入し、他の構成部分には係数「１」を挿入していると解釈することができる。すなわち、係数βは他の構成部分の係数との関係で相対的なものであり、他の構成部分に１以外の係数（τ１，τ２・・・）を挿入することも可能である。例えば、上記の実施形態に従えば、式１２の偏光状態式において短軸側の構成部分に係数τ１（＞１）を挿入して横方向の偏光成分を増幅すれば、相対的に長軸側の縦方向の偏光成分が減衰されることになり、式１７と同じ結果を得ることができる。このように、他の構成部分に別の係数τ１，τ２・・・を挿入する場合は、これら係数τ１，τ２・・・との関係で相対的にβ＜１となる係数τ１，τ２・・・及び係数βを選択すればよい。
【産業上の利用可能性】
【００６１】
本発明の電磁波検出装置及び電磁波検出方法は、ミリ波帯やギガヘルツ波帯の周波数帯でも適用が可能であるが、特に周波数３０ＧＨｚ〜３０ＴＨｚ（波長１０ｍｍ〜１０μｍ）のテラヘルツ波帯での適用が好ましく、原理的には３０ＴＨｚを越える周波数帯の電磁波検出にも適用が可能である。
また、本発明の電磁波検出装置及び電磁波検出方法は、各種センシング装置やイメージング装置などに適用が可能である。
【図面の簡単な説明】
【００６２】
【図１】本発明の電磁波検出装置の具体的な装置構成を示す概略図である。
【図２】図１の装置の主要部の詳細を説明する概略図である。
【図３】第一の実施形態の電磁波検出装置の効果を説明するグラフで、図３（ａ）は信号強度のプローブ光の遅延時間を変化させたときの変位、すなわちＴＨｚ波の時間波形を示すグラフ、（ｂ）はそれをフーリエ変換した信号強度と周波数との関係、すなわちパワースペクトルを示すグラフである。
【図４】本発明の第二の実施形態にかかる電磁波検出装置の具体的な装置構成を示す概略図である。
【図５】図４の装置の主要部の詳細を説明する概略図である。
【図６】第二の実施形態の電磁波検出装置の効果を説明するグラフで、図６（ａ）は信号強度のプローブ光の遅延時間を変化させたときの変位、すなわちＴＨｚ波の時間波形を示すグラフ、（ｂ）はそれをフーリエ変換した信号強度と周波数との関係、すなわちパワースペクトルを示すグラフである。
【図７】本発明の従来例にかかり、ＥＯサンプリング検出を行う電磁波検出装置の一例を示す概略図である。
【符号の説明】
【００６３】
１１      電気光学結晶
１２      λ／４波長板
１３      偏光子
１４      光検出器
１５      光学フィルタ
１６      光学フィルタ（λ／２波長板）
２１      フェムト秒レーザー装置
２２      エミッタ
２３      レンズ
２４      フェムト秒レーザー装置
２５      反射鏡
【図１】
2019152501.tif 000023
【図２】
2019152501.tif 000024
【図３】
2019152501.tif 000025
【図４】
2019152501.tif 000026
【図５】
2019152501.tif 000027
【図６】
2019152501.tif 000028
【図７】
2019152501.tif 000029